(57)【要約】【課題】カバーが閉じられた状態でユーザーの指先が筐体内に侵入することを防ぐ。【解決手段】プリント装置は、プリントユニットと、プリントユニットを覆う筐体と、筐体に対して開閉可能に設けられ、閉じたときに筐体との間に開口を形成するカバーと、開口の近傍に設けられ、ユーザーの指が開口からプリントユニットに侵入することを妨げる保護壁部と、を有する。保護壁部には、ユーザーの指に押されると隙間を狭める方向にスライド可能なスライドシャッタが設けられている。【選択図】図６
2017114067.tif 000002
【特許請求の範囲】
【請求項１】
プリントユニットと、
前記プリントユニットを覆う筐体と、
前記筐体に対して開閉可能に設けられ、閉じたときに前記筐体との間にシートが排出される開口を形成するカバーと、
前記カバーの内側に設けられ、前記カバーを閉じた状態において、前記開口から差し込まれたユーザーの指先が前記プリントユニットに向けて侵入することを抑制するための保護壁部と、
を有し、前記保護壁部には、前記開口から差し込まれたユーザーの指先に押されて、シートが通る隙間を狭める方向にスライド可能なスライド部材が設けられていることを特徴とするプリント装置。
【請求項２】
前記スライド部材は、ユーザーの指先に押されて斜め奥方向にスライドすることを特徴とする請求項１に記載のプリント装置。
【請求項３】
前記スライド部材は、付勢手段によって前記隙間を広げる方向に付勢されていることを特徴とする請求項１または２に記載のプリント装置。
【請求項４】
前記スライド部材はスリットを有し、前記スリットに前記保護壁部に設けられた突起部が係合することにより、前記スライド部材のスライドおよび所定の位置での保持が可能となることを特徴とする請求項３に記載のプリント装置。
【請求項５】
前記スライド部材の先端には、折り爪部が設けられていることを特徴とする請求項１ないし４のいずれか１項に記載のプリント装置。
【請求項６】
前記スライド部材は、搬送されるシートの幅方向において複数に分割され、互いに独立してスライドすることが可能であることを特徴とする請求項１ないし５のいずれか１項に記載のプリント装置。
【請求項７】
処理部と、
前記処理部を覆う筐体と、
前記筐体に対して開閉可能に設けられたカバーと、
前記カバーを閉じた状態において、前記筐体の内部へのユーザーの指先の侵入を抑制するための、前記カバーの内側に設けられた保護壁部と、
を有し、前記保護壁部には、ユーザーの指先に押されて傾斜した方向にスライドするスライド部材が設けられていることを特徴とする処理装置。
【発明の詳細な説明】
【技術分野】
【０００１】
本発明は、筐体とアクセスカバーを持ったプリント装置などの装置に関するものである。
【背景技術】
【０００２】
プリント装置には、装置カバーが開けられるとプリント動作が実行させないようにするインターロック機能を有するものがある。特許文献１には、インターロック機構を持ったインクジェットプリンタが開示されている。
【先行技術文献】
【特許文献】
【０００３】
【特許文献１】特開２００６−１４２６０８号公報
【発明の概要】
【発明が解決しようとする課題】
【０００４】
プリント装置には、装置カバーを閉じたときの排紙口から装置内のキャリッジなどが僅かに見えるものがある。装置動作中にユーザーがこの排紙口から装置内部に指を入れないようにすることが求められる。
【０００５】
本発明は、カバーが閉じられた状態でユーザーの指が筐体内に侵入することをより効果的に抑制することが可能な装置を提供することを目的とする。
【課題を解決するための手段】
【０００６】
上記目的を達成する本発明の一形態は、プリントユニットと、前記プリントユニットを覆う筐体と、前記筐体に対して開閉可能に設けられ、閉じたときに前記筐体との間にシートが排出される開口を形成するカバーと、前記カバーの内側に設けられ、前記カバーを閉じた状態において、前記開口から差し込まれたユーザーの指先が前記プリントユニットに向けて侵入することを抑制するための保護壁部と、を有し、前記保護壁部には、前記開口から差し込まれたユーザーの指先に押されて、シートが通る隙間を狭める方向にスライド可能なスライド部材が設けられていることを特徴とする。
【発明の効果】
【０００７】
本発明によれば、カバーが閉じられた状態でユーザーの指が筐体内に侵入することをより効果的に抑制することができる。
【図面の簡単な説明】
【０００８】
【図１】本発明の一実施形態に係るインクジェットプリント装置を示す斜視図である。
【図２】プリント装置のカバーを閉じた状態を示す斜視図である。
【図３】アクセスカバーにおける保護壁部と、プリントユニットによるプリント領域との関係を示す概略断面図である。
【図４】保護壁部におけるスライドシャッタの詳細な構成を示す斜視図である。
【図５】アクセスカバー内の保護壁部とスライドシャッタの位置関係を示す斜視図である。
【図６】ユーザーの指先が装置内のスライドシャッタに触れたときの、スライドシャッタの動作を説明する模式的断面図である。
【図７】ユーザーの指先が装置内のスライドシャッタに触れて、保護壁部とプラテンとの隙間が狭くなった状態を示す模式的断面図である。
【発明を実施するための形態】
【０００９】
以下、図面を参照して本発明の実施形態を詳細に説明する。
【００１０】
図１および図２は、本発明の一実施形態に係るインクジェットプリント装置の概略を示す斜視図であり、図１は装置のカバーを開いた状態、図２はカバーを閉じた状態をそれぞれ示している。
【００１１】
これら図において、プリント装置１００はプリントユニット１０２を備える。プリントユニット１０２の主要部となるのは、ガイド軸１２１に沿って移動可能なキャリッジと、このキャリッジに搭載されたプリントヘッドである。プリントヘッドは、複数色のインクをインクジェット方式で吐出する。キャリッジには、プリントヘッドに供給するインクをそれぞれ貯留したインクタンクが搭載される。なお、インクタンクはキャリッジ上に搭載せずに、インクチューブによりキャリッジに対して供給する構成にしてもよい。また、プリントユニットはインクジェット方式とは別の方式であってもよい。
【００１２】
キャリッジはガイド軸１２１に沿った往復移動し、プリントヘッドによるシート１０１に対する走査を行うことができる。シート１０１は、不図示のロールの形態で巻き取られており、プリント時にロールから給送される。そして、シート１０１は搬送ローラによってプラテン１０３上を搬送される。この搬送の間に、シート１０１のプラテン１０３に対応する領域に、プリントユニット１０２の走査によってプリントが行われ、シリアルプリント方式でプリントが行われる。プリントがなされたシート１０１は、筐体とアクセスカバー１１０の間に形成される開口である排紙口１０５から排出される。排出口１０５の手前近傍にはカッタが設けられており、プリントされた領域の後端が切断されたシートは排紙口１０５から排出されて、布製のバスケット１０４に落下収容される。
【００１３】
アクセスカバー１１０は、上述したプリントユニット１０２などのプリント機構の全体を内蔵して覆う筐体に対して開閉可能に設けられている。アクセスカバー１１０の開、閉動作は、アクセスカバー１１０が装置本体に設けられた回動軸の回りに回動することによって可能となる。
【００１４】
アクセスカバー１１０は、閉じると筐体の開放部分である装置の上部および全部を覆う。  プリント動作は、図２に示すアクセスカバー１１０が閉じた状態で行われる。インクタンクやヘッド交換などのプリント部のメンテナンスの際には、ユーザーがアクセスカバー１１０を開けてメンテナンスを行う。つまり、アクセスカバー１１０は、これを開けた状態（図１）で、ユーザーが、プリントユニット１０２におけるインクタンクの交換や、紙詰まりを起したシートのジャム解消などのメンテナンス作業を行うためのものである。
【００１５】
アクセスカバー１１０が閉じた状態（図２）でのプリント動作の際にジャムが起きたときは、軽度のジャムであれば、アクセスカバー１１０を閉じたままで、ユーザーは排紙口１０５から手を入れてシートを引っ張り出す回復処理が可能となる。それでは回復し切れない重度のジャムの場合には、ユーザーはアクセスカバー１１０を開けて回復処理を行う。
【００１６】
アクセスカバー１１０には、それが閉じたときに排紙口１０６の近傍となる箇所に、保護壁部１１１が設けられている。保護壁部１１１は、スライドシャッタ１１２（板状のスライド部材）を備えている。本実施形態では、スライドシャッタ１１２は、排紙されるシートの幅方向の全領域を３つに分割したそれぞれに対応して設けられている。なお分割数は３つに限らず、分割された個々のスライドシャッタ１１２がスムーズなスライド移動ができるよう、プリント装置の横幅に応じた分割数にすればよい。またプリント装置が小型である場合はスライドシャッタ１１２を分割せず１つの部材であってもよい。
【００１７】
それぞれのスライドシャッタ１１２は、アクセスカバーが閉じたとき、排紙口に対向するものであり、互いに独立してスライド移動することが可能に構成されている。これにより、スライドシャッタ１１２は、図３以降でその詳細が後述されるように、装置動作中にユーザーが指先を装置内部に入れて、移動するキャリッジなどに触るのを防止することができる。
【００１８】
アクセスカバー１１０が閉状態にあるとき、プリント装置１００の不図示の係合部とアクセスカバー１１０の対応する不図示の係合部が係合する。この係合により、アクセスカバー１１０がロックされてその閉状態が保持される。また、プリント装置１００本体には、アクセスカバー１１０の開閉を検知してインターロックを行うためのセンサが設けられている。このセンサは、リミットスイッチなどの機械的センサあるいは光学式のセンサとすることができる。センサは、アクセスカバー１１０が開けられたことを検知し、具体的には、完全に閉じたアクセスカバー１１０が１ｃｍほどの高さまで移動するとセンサ検知がオンになる。このセンサを用いてインターロックがなされる。プリント装置の制御部は、センサによりアクセスカバー１１０の開状態が検知されている間はプリント動作が実行されないように制御する、プリント動作中にアクセスカバー１１０が開状態になったことを検知したらプリント動作を直ちに停止するよう制御する。
【００１９】
図３は、アクセスカバーにおける保護壁部１１１と、プリントユニット１０２によるプリント領域との関係を示す図である。
【００２０】
アクセスカバー１１０の内側の面には、保護壁部１１１が設けられ、これにより、ユーザーの指が筐体内部のプリントユニット１０２に向けて侵入することを防止することが可能となる。アクセスカバー１１０が閉じた状態で、保護壁部１１１は、シート１０１の搬送方向において、プリントユニット１０２より下流側で、高さ方向において、保護壁部１１１の下端がその下方のプラテン１０３から上方に２０ｍｍ以内の高さとなるよう配置されている。また、主走査方向においては、排紙口１０５の略全域に配置されている。保護壁部１１１の傾斜方向は、搬送方向の上流側でかつ下方に向かって傾斜する概略斜面である。
【００２１】
保護壁部１１１には、上述したように、幅方向の略全域を３つに分けた領域それぞれにスライドシャッタ１１２がスライド可能に設けられており、スライドシャッタ１１２の下端とプラテン１０３により、排紙口の上端下端が構成されている。また、スライドシャッタ１１２はその先端部に折り爪部１１７を有している。これにより、スライドシャッタ１１２は、図６などで後述されるように。この位置で、人の指が侵入して来たとき、折り爪部１１７がその指と係合して指がそれ以上侵入することを防止することができる。
【００２２】
図４は、保護壁部１１１における１つのスライドシャッタ１１２の詳細な構成を示す斜視図である。
【００２３】
保護壁部１１１には、スライドシャッタ１１２の２箇所に設けられたそれぞれのスリット１１４に対応する位置に突起部１１３が設けられている。これにより、スライドシャッタ１１２は、突起部１１３によってスリット１１４の動きが規制されて、図に示す傾斜したスライド方向（斜め奥方向）にスライドする。また、突起部１１３は、スリット１１４との協働でスライドシャッタ１１２の動き得る範囲を規制する。保護壁部１１１およびスライドシャッタ１１２のそれぞれには、２箇所にフック１１５Ａ、１１５Ｂが設けられている。そして、対応する一対のフック１１５Ａ、１１５Ｂにバネ１１６が係止されることにより、スライドシャッタ１１２が、保護壁部１１１のフック１１５Ａの方に付勢される。その結果、スライドシャッタ１１２のスライド可能範囲のフック１１５Ａ側で、スライドシャッタ１１２のスリット１１４と保護壁部１１１中の突起部１１３が突き当たり、スライドシャッタ１１２が付勢力に抗してその所定位置に保持される。これにより、スライドシャッタ１１２が重力によって下方にスライドし、スライド可能範囲のフック１１５Ｂ側でその位置が保持されることによって、プリント動作時に排紙口面積が狭くなることを防止でき、シートのジャムの発生などを防止できる。
【００２４】
なお、上述の形態では、バネ１１６を用いてスライドシャッタ１１２を上方に付勢し、排紙口面積の減少を抑制する状態に保つ形態である。しかし、保護壁部１１１に対するスライドシャッタ１１２の位置を保持するための形態は、スライドシャッタ１１２による排紙口面積の減少を抑制することが可能な形態であれば、どのような形態であってもよい。
【００２５】
図５は、アクセスカバー１１０内の保護壁部１１１とスライドシャッタ１１２の位置関係を示す斜視図であり、図１に示したスライドシャッタ１１２の詳細を示している。保護壁部１１１に対して、図４で示した構成のスライドシャッタ１１２が排紙口１０５の主走査方向において３つ存在し、これによって排紙口１０５の全域をカバーしている。なお、本実施例では、保護壁部１１１とスライドシャッタ１１２が上述した通り主走査方向に複数存在する形態としているが、排紙口全域にわたって１つであってもよい。
【００２６】
図６は、ユーザーが、アクセスカバーを開けることなく、排紙口１０５（排紙口）から指を挿入し、ユーザーの指先がスライドシャッタに触れたときの、スライドシャッタの動作を説明する模式的断面図である。
【００２７】
排紙口１０５（排紙口）を介して侵入した指先１３０は、排紙口のサイズとの関係などから、スライドシャッタ１１２の折り爪部１１７に触れる。さらに指を侵入させようとすると、折り爪部１１７を押すことになり、それによって、スライドシャッタ１１２には、指先１３０の侵入方向と同じ向きに力ａが作用する。スライドシャッタ１１２は、傾斜したスライド方向、すなわち指先１３０が押す方向（この例では水平方向）に対して傾いた斜め奥方向であるにスライドする。スライドシャッタ１１２が斜め奥方向に移動し切ると、図７に示すように、保護壁部１１１とプラテン１０３との間の隙間Ａが狭くなる。これ以上は指先１３０で押してもスライドすることはなく、さらなる指の侵入はできない。このようにスライド移動するスライドシャッタ１１２の働きにより、指先１３０が保護壁部１１１より内側に入ることが抑制される。
【００２８】
隙間Ａがもっとも狭くなった状態（図７）では、本実施形態の場合、隙間Ａは重力方向において、３ｍｍ〜１０ｍｍの範囲であり、より好ましくは３ｍｍ〜５．５ｍｍで範囲の値である。この隙間Ａのサイズであれば、子供の指先であっても隙間Ａに入ることはできない。従って、プリント動作中には、どのようなユーザーであっても、閉じたスライドシャッタ１１２に阻まれて、例えば、移動するキャリッジに触れることを防止できる。
【００２９】
なお、ユーザーの指先１３０が触れる部分を折り爪部１１７である形態としたが、スライドシャッタ１１２が有する形状は、ユーザーの指先１３０が掛かりやすい形状であれば、どのような形状であってもよい。
【００３０】
本発明はプリントユニット以外の処理部を持った種々の処理装置、例えばスキャナ装置や工作機械などにおいても適用することができる。
【符号の説明】
【００３１】
１０２    プリントユニット
１０３    プラテン
１１０    アクセスカバー
１１１    保護壁部
１１２    スライドシャッタ
１１７    折り爪部１１７
１３０    ユーザーの指先
【図１】
2017114067.tif 000003
【図２】
2017114067.tif 000004
【図３】
2017114067.tif 000005
【図４】
2017114067.tif 000006
【図５】
2017114067.tif 000007
【図６】
2017114067.tif 000008
【図７】
2017114067.tif 000009